(57)【要約】【課題】放送番組送出時に、垂直帰線期間データの重畳ラインを容易に変更可能なＴＳ処理装置を提供する。【解決手段】エンコーダ１１にＶＢＩデータの重畳ラインと、ＰＩＤとを対応付けた管理テーブルを記憶した管理テーブル記憶部１１２２を備え、デコーダ１４に管理テーブル記憶部１１２２と同一の記憶内容を記憶した管理テーブル記憶部１４３１を備えておき、エンコーダ１１にＶＢＩデータの重畳ラインの変更指示が入力されたときに、エンコーダ１１にて管理テーブルを参照し、この参照結果に基づいてＶＢＩデータのＴＳパケットのＰＩＤを変更指示されたＰＩＤに入れ替えるようにし、デコーダ１４にて素材蓄積装置１２から再生されるＴＳからＶＢＩデータを検出し、この検出結果に基づいて管理テーブルを参照し、この参照結果に基づいて、ＶＢＩデータをベースバンド信号の変更後の重畳ラインに挿入するようにしている。【選択図】      図１
2009077083.tif 000002
【特許請求の範囲】
【請求項１】
ライン構造のベースバンド信号をパケット構造のＴＳ（Transport Stream）に符号化するエンコーダと、
このエンコーダにより得られたＴＳを蓄積する蓄積部と、
この蓄積部から再生されるＴＳを前記ベースバンド信号に復号するデコーダとを具備し、
前記エンコーダは、
前記ベースバンド信号を前記ＴＳに符号化する際に、前記ベースバンド信号に垂直帰線期間データが重畳されている場合に、当該垂直帰線期間データの重畳ラインを特定するライン特定手段と、
このライン特定手段で特定される重畳ラインを示す情報と、ＴＳパケットを特定するパケットＩＤとを対応付けた送り側管理テーブルを記憶する手段と、
垂直帰線期間データの重畳ラインの変更指示が入力されたとき、前記送り側管理テーブルを参照し、この参照結果に基づいて垂直帰線期間データを含むＴＳパケットのパケットＩＤを変更指示された重畳ラインに対応するパケットＩＤに更新する送り側制御手段とを備え、
前記デコーダは、
前記垂直帰線期間データが含まれるＴＳパケットのパケットＩＤと、前記垂直帰線期間データを前記ベースバンド信号に重畳すべく重畳ラインを示す情報とを対応付けた受け側管理テーブルを記憶する手段と、
前記蓄積部から再生されるＴＳから垂直帰線期間データを検出し、この検出結果に基づいて前記受け側管理テーブルを参照し、この参照結果に基づいて、垂直帰線期間データを前記ベースバンド信号の変更後の重畳ラインに挿入する受け側制御手段とを備えたことを特徴とするＴＳ処理装置。
【請求項２】
前記垂直帰線期間データは、ＣＭ（Commercial Message）確認コードであることを特徴とする請求項１記載のＴＳ処理装置。
【請求項３】
ライン構造のベースバンド信号をパケット構造のＴＳ（Transport Stream）に符号化して蓄積部に格納するエンコーダにおいて、
前記ベースバンド信号を前記ＴＳに符号化する際に、前記ベースバンド信号に垂直帰線期間データが重畳されている場合に、当該垂直帰線期間データの重畳ラインを特定するライン特定手段と、
このライン特定手段で特定される重畳ラインを示す情報と、ＴＳパケットを特定するパケットＩＤとを対応付けた管理テーブルを記憶する手段と、
垂直帰線期間データの重畳ラインの変更指示が入力されたとき、前記管理テーブルを参照し、この参照結果に基づいて垂直帰線期間データを含むＴＳパケットのパケットＩＤを変更指示された重畳ラインに対応するパケットＩＤに更新する制御手段とを具備し、
前記デコーダにて、前記蓄積部から再生されるＴＳから垂直帰線期間データを検出し、この垂直帰線期間データを前記ベースバンド信号の変更後の重畳ラインに挿入させるようにしたことを特徴とするエンコーダ。
【請求項４】
エンコーダにてライン構造のベースバンド信号を符号化されたパケット構造のＴＳ（Transport Stream）を蓄積する蓄積部の出力段に接続され、当該蓄積部から再生されるＴＳを前記ベースバンド信号に復号するデコーダにおいて、
前記垂直帰線期間データが含まれるＴＳパケットのパケットＩＤと、前記垂直帰線期間データを前記ベースバンド信号に重畳すべく重畳ラインを示す情報とを対応付けた管理テーブルを記憶する手段と、
前記蓄積部から再生されるＴＳから垂直帰線期間データを検出し、この検出結果に基づいて前記管理テーブルを参照し、この参照結果に基づいて、垂直帰線期間データを前記ベースバンド信号の重畳ラインに挿入する制御手段とを具備したことを特徴とするデコーダ。
【発明の詳細な説明】
【技術分野】
【０００１】
この発明は、放送局において、映像や音声などを符号化したＴＳ（Transport Stream）を取り扱うＴＳ処理装置と、このＴＳ処理装置で使用されるエンコーダ及びデコーダに関する。
【背景技術】
【０００２】
周知のように、放送局内にあっては、例えばテレビジョン放送やラジオ放送の番組、ＣＭ（Commercial Message）、文字やデータによる番組等のＴＳを記憶し、任意のタイミングでＴＳを再生する番組／ＣＭ／映像・音声ファイル蓄積装置（以下、素材蓄積装置と称する）が使用されている（例えば、特許文献１）。
【０００３】
ところで、地上波の放送システムにあっては、ネット送り局及びネット受け局を番組ネット回線により結ぶネット受信放送システムが構築されている。このネット受け局では、番組ネット回線で受信した放送番組のベースバンド信号を特定の放送サービスエリアに向けて再度送信している。
【特許文献１】特開２００５−２４４７１３号公報
【発明の開示】
【発明が解決しようとする課題】
【０００４】
ところで、ネット送り局とネット受け局との間の系列が異なる場合には、ベースバンド信号中のＶＢＩ（Vertical Blanking Interval）データの重畳ラインが異なる場合がある。この場合、ネット受け局の素材蓄積装置において、エンコーダにてＶＢＩデータを入力時とは異なるラインに重畳して送出する機能が要求されている。しかし、このような機能は、まだ検討段階であって実現されていないのが現状である。
【０００５】
そこで、この発明の目的は、放送番組送出時に、垂直帰線期間データの重畳ラインを容易に変更可能なＴＳ処理装置及びこのＴＳ処理装置で使用されるエンコーダ、デコーダを提供することにある。
【課題を解決するための手段】
【０００６】
上記目的を達成するために、この発明に係わるＴＳ処理装置は、ライン構造のベースバンド信号をパケット構造のＴＳ（Transport Stream）に符号化するエンコーダと、このエンコーダにより得られたＴＳを蓄積する蓄積部と、この蓄積部から再生されるＴＳをベースバンド信号に復号するデコーダとを具備し、エンコーダは、ベースバンド信号をＴＳに符号化する際に、ベースバンド信号に垂直帰線期間データが重畳されている場合に、当該垂直帰線期間データの重畳ラインを特定するライン特定手段と、このライン特定手段で特定される重畳ラインを示す情報と、ＴＳパケットを特定するパケットＩＤとを対応付けた送り側管理テーブルを記憶する手段と、垂直帰線期間データの重畳ラインの変更指示が入力されたとき、送り側管理テーブルを参照し、この参照結果に基づいて垂直帰線期間データを含むＴＳパケットのパケットＩＤを変更指示された重畳ラインに対応するパケットＩＤに更新する送り側制御手段とを備え、デコーダは、垂直帰線期間データが含まれるＴＳパケットのパケットＩＤと、垂直帰線期間データをベースバンド信号に重畳すべく重畳ラインを示す情報とを対応付けた受け側管理テーブルを記憶する手段と、蓄積部から再生されるＴＳから垂直帰線期間データを検出し、この検出結果に基づいて受け側管理テーブルを参照し、この参照結果に基づいて、垂直帰線期間データをベースバンド信号の変更後の重畳ラインに挿入する受け側制御手段とを備えるようにしたものである。
【０００７】
この構成によれば、エンコーダ及びデコーダにて垂直帰線期間データの重畳ラインを示す情報と、ＴＳパケットを特定するパケットＩＤとを対応付けた管理テーブルを記憶し管理しておき、垂直帰線期間データの重畳ラインの変更指示が入力されたときに、エンコーダにて送り側管理テーブルを参照し、この参照結果に基づいて垂直帰線期間データを含むＴＳパケットのパケットＩＤを変更指示された重畳ラインに対応するパケットＩＤに更新するようにし、デコーダにて蓄積部から再生されるＴＳから垂直帰線期間データを検出し、この検出結果に基づいて受け側管理テーブルを参照し、この参照結果に基づいて、垂直帰線期間データをベースバンド信号の変更後の重畳ラインに挿入するようにしている。
【０００８】
従って、垂直帰線期間データの重畳ラインの変更処理をエンコーダに頼らずデコーダで分担して実行することが可能となり、これにより垂直帰線期間データの重畳ラインの変更処理をエンコーダとデコーダとが協働して効率良く実行することができる。
【発明の効果】
【０００９】
以上詳述したようにこの発明によれば、放送番組送出時に、垂直帰線期間データの重畳ラインを容易に変更可能なＴＳ処理装置及びこのＴＳ処理装置で使用されるエンコーダ、デコーダを提供することができる。
【発明を実施するための最良の形態】
【００１０】
以下、この発明の実施形態について図面を参照して詳細に説明する。  
図１は、この発明に係る実施形態とするＴＳ処理装置の構成を示すブロック図である。図１において、ネット送り局から送られる放送番組のベースバンド信号は、エンコーダ１１の符号化部１１１に供給される。符号化部１１１は、入力されたベースバンド信号を映像信号、音声信号及びＶＢＩデータに分離し、各映像信号、音声信号及びＶＢＩデータをＭＰＥＧ２（Moving Picture Experts Group 2）方式によって符号化するもので、各エンコード出力はＴＳパケット多重化部１１２にてＴＳパケットに変換された後、時分割多重されて素材蓄積装置１２に供給される。なお、ＶＢＩデータには、例えばＣＭ確認コードが使用される。
【００１１】
素材蓄積装置１２は、エンコーダ１１から送られ時分割多重されたＴＳパケットを蓄積媒体１３に格納しておくもので、自動番組送出制御装置（図示せず）から与えられる再生指示信号に応じて、蓄積媒体１３から該当するＴＳパケットを選択的に再生する。この再生ＴＳは、デコーダ１４によりベースバンド信号にデコードされて、オンエア出力される。
【００１２】
また、デコーダ１４は、素材蓄積装置１２から再生されたＴＳをＴＳパケット分離部１４１にて映像ＴＳ、音声ＴＳ、ＶＢＩデータＴＳに分離する。このうち、映像ＴＳ及び音声ＴＳは、ベースバンド信号変換部１４２にてデコードされてベースバンド信号となる。
【００１３】
ＶＢＩデータＴＳは、ＰＩＤ判定部１４３に供給されてＶＢＩデータにデコードされ、ベースバンド信号変換部１４２で映像信号に重畳される。
【００１４】
ところで、この実施形態では、ＴＳパケット化部１１２に、ＶＢＩ重畳ライン特定部１１２１と、管理テーブル記憶部１１２２と、ライン入れ替え制御部１１２３とを備えている。ＶＢＩ重畳ライン特定部１１２１は、ＶＢＩデータが入力された場合に、映像信号に対するＶＢＩデータの重畳ラインを特定する。
【００１５】
管理テーブル記憶部１１２２は、図２に示すように、ＶＢＩデータが重畳される映像信号のＶＢＩラインと、ＶＢＩデータをＴＳパケット化する際のＴＳパケットのＰＩＤ（Packet ID）との対応関係を表す管理テーブルを記憶している。
【００１６】
ライン入れ替え制御部１１２３は、ＶＢＩデータの重畳ラインの変更指示が入力された場合に、上記管理テーブルを参照し、この参照結果に基づいてＶＢＩデータをＴＳ化したＴＳパケットのＰＩＤを変更指示された重畳ラインに対応するＰＩＤに入れ替える。
【００１７】
一方、デコーダ１４のＰＩＤ判別部１４３には、管理テーブル記憶部１４３１と、ＶＢＩデータ挿入制御部１４３２とを備えている。管理テーブル記憶部１４３１には、上記管理テーブル記憶部１１２２と同じ記憶内容が記憶されている。
【００１８】
ＶＢＩデータ挿入制御部１４３２は、ＴＳパケット分離部１４１からＶＢＩデータＴＳが入力された場合に、このＴＳパケットのＰＩＤに基づいて上記管理テーブルを参照し、この参照結果に基づいて、ＶＢＩデータＴＳをデコードしてベースバンド信号変換部１４２で得られるベースバンド信号の然るべき重畳ラインに挿入する。
【００１９】
次に、上記構成における処理動作について説明する。  
素材蓄積装置１２に素材を記録する場合、エンコーダ１１側でＶＢＩデータを抽出し、各ライン番号に１対１で、ＴＳパケット化時に指定するＰＩＤを設定するものとする。
【００２０】
図３は、エンコーダ１１の処理手順を示すフローチャートである。まず、操作端末（図示せず）からのＶＢＩデータの重畳ライン変更指示入力（ここでは１７ライン）を判断し（ステップＳＴ３ａ）、指示入力があった場合には（Ｙｅｓ）、ＶＢＩデータが検出されるか否かの判断を行う（ステップＳＴ３ｂ）。
【００２１】
ここで、ＶＢＩデータが検出された場合に（Ｙｅｓ）、エンコーダ１１は映像信号に対するＶＢＩデータの重畳ライン（ここでは１４ライン）を特定し、その重畳ライン番号に基づいて管理テーブルを参照して、ＶＢＩデータをＴＳパケット化する際のＰＩＤ（１ＦＤ２）を特定する（ステップＳＴ３ｃ）。そして、このＰＩＤ（１ＦＤ２）を変更指示されたＰＩＤ（１ＦＤ５）に入れ替えてＶＢＩデータをＴＳパケット化し、素材蓄積装置１２に送出する（ステップＳＴ３ｄ）。
【００２２】
図４は、デコーダ１４の処理手順を示すフローチャートである。まず、ＶＢＩデータのＴＳパケットが検出されるか否かを判断し（ステップＳＴ４ａ）、ＶＢＩデータのＴＳパケットが検出された場合に（Ｙｅｓ）、デコーダ１４はＴＳパケットのＰＩＤ（１ＦＤ５）をもとに管理テーブルを参照し（ステップＳＴ４ｂ）、ＶＢＩデータをベースバンド信号のＰＩＤ（１ＦＤ５）に対応する重畳ライン（１７ライン）に重畳する（ステップＳＴ４ｃ）。
【００２３】
以上のように上記実施形態では、エンコーダ１１にＶＢＩデータの重畳ラインと、ＰＩＤとを対応付けた管理テーブルを記憶した管理テーブル記憶部１１２２を備え、デコーダ１４に管理テーブル記憶部１１２２と同一の記憶内容を記憶した管理テーブル記憶部１４３１を備えておき、エンコーダ１１にＶＢＩデータの重畳ラインの変更指示が入力されたときに、エンコーダ１１にて管理テーブルを参照し、この参照結果に基づいてＶＢＩデータのＴＳパケットのＰＩＤを変更指示されたＰＩＤに入れ替えるようにし、デコーダ１４にて素材蓄積装置１２から再生されるＴＳからＶＢＩデータを検出し、この検出結果に基づいて管理テーブルを参照し、この参照結果に基づいて、ＶＢＩデータをベースバンド信号の変更後の重畳ラインに挿入するようにしている。
【００２４】
従って、ＶＢＩデータの重畳ラインの変更処理をエンコーダ１１に頼らずデコーダ１４で分担して実行することが可能となり、これによりＶＢＩデータの重畳ラインの変更処理をエンコーダ１１とデコーダ１４とが協働して効率良く実行することができる。
【００２５】
なお、この発明は上記実施形態に限定されるものではない。例えばＴＳ処理装置の構成、エンコーダ１１の機能、デコーダ１４の機能、ＶＢＩデータの種類、エンコーダ１１のＶＢＩ重畳ラインの変更処理手順とその内容、デコーダ１４のＶＢＩ重畳ラインの変更処理手順とその内容等についても、この発明の要旨を逸脱しない範囲で種々変形して実施することができる。
【図面の簡単な説明】
【００２６】
【図１】この発明に係る実施形態とするＴＳ処理装置の構成を示すブロック図。
【図２】上記図１に示したエンコーダ及びデコーダの管理テーブル記憶部の記憶内容の一例を示す図。
【図３】同実施形態におけるエンコーダの処理手順を示すフローチャート。
【図４】同実施形態におけるデコーダの処理手順を示すフローチャート。
【符号の説明】
【００２７】
１１…エンコーダ、１２…素材蓄積装置、１３…蓄積媒体、１４…デコーダ、１１１…符号化部、１１２…ＴＳパケット多重化部、１４１…ＴＳパケット分離部、１４２…ベースバンド信号変換部、１４３…ＰＩＤ判定部、１１２１…ＶＢＩ重畳ライン特定部、１１２２…管理テーブル記憶部、１１２３…ライン入れ替え制御部、１４３１…管理テーブル記憶部、１４３２…ＶＢＩデータ挿入制御部。
【図１】
2009077083.tif 000003
【図２】
2009077083.tif 000004
【図３】
2009077083.tif 000005
【図４】
2009077083.tif 000006